(57)【要約】【課題】  多方向スイッチ用の固定接点とロータリースイッチ用の固定接点とを一体的に備えると共にスイッチの小型化が可能な複合操作スイッチを提供する。【解決手段】  第１の固定接点部２と第２の固定接点部７を有するハウジングと、第１の固定接点部２に対向して配設され、押圧されることにより第１の固定接点部２と接離する複数の可動接点４と、第２の固定接点部７と摺接する摺動接点１０を有し、ハウジングに回転可能に保持された回転部材９とを備え、ハウジングは、上下に対向して係合された上ケース６及び下ケース１とからなり、第１の固定接点部２を下ケース１の内底面に形成すると共に、第２の固定接点部７を上ケース６の天井面に形成し、第１の固定接点部２と第２の固定接点部７とを上ケース６と下ケース１の上下方向に対向して配置した。【選択図】        図２
2005302347.tif 000002
【特許請求の範囲】
【請求項１】
多方向スイッチ部とロータリースイッチ部とが一体化されてなる複合操作スイッチであって、多方向スイッチ部を構成する第１の固定接点部とロータリースイッチ部を構成する第２の固定接点部を有するハウジングと、前記第１の固定接点部に対向して配設され、押圧されることにより前記第１の固定接点部と接離する複数の可動接点と、前記第２の固定接点部と摺接する摺動接点を有し、前記ハウジングに回転可能に保持された回転部材とを備え、前記ハウジングは、上下に対向して係合された上ケース及び下ケースとからなり、前記第１の固定接点部を前記下ケースの内底面に形成すると共に、前記第２の固定接点部を前記上ケースの天井面に形成し、前記第１の固定接点部と前記第２の固定接点部とを前記上ケースと下ケースの上下方向に対向して配置したことを特徴とする複合操作スイッチ。
【請求項２】
前記第１の固定接点部は、前記下ケースの内底面中央に配設されて前記可動接点が載置される接点パターン部と、この接点パターン部から周縁方向に延設された引出しパターン部とを有し、前記第２の固定接点部は、前記上ケースの天井面周縁部に配設された円環状のコモンパターンと、複数の円弧状の個別パターンとを有し、前記第１の固定接点部の引出しパターン部と前記第２の固定接点部のコモンパターン及び個別パターンとが、前記回転部材を挟んで上下方向に重なるように対向して配置したことを特徴とする請求項１記載の複合操作スイッチ。
【請求項３】
前記回転部材は、円板状の回転板と、中央に中空部を有する円筒状の操作部とからなり、この操作部が前記上ケースの中央に設けられた開口部から突出して前記上ケースと下ケースとの間に回転可能に保持されており、前記回転板の上面側に前記摺動接点が保持され、この摺動接点と前記第２の固定接点部とが摺接すると共に、前記操作部の中空部に前記第１の固定接点部の接点パターン部が臨むように配置したことを特徴とする請求項２記載の複合操作スイッチ。
【請求項４】
前記第１の固定接点部は、中央に設けられたセンタープッシュ用接点部とこのセンタープッシュ用接点部の周辺に設けられた複数の方向検出用接点部とからなり、それぞれの接点部のコモン接点を共通の引出しパターンで接続したことを特徴とする請求項２、又は３記載の複合操作スイッチ。
【請求項５】
前記第１の固定接点部及び前記第２の固定接点部は、外部導出用の第１の接続端子及び第２の接続端子とそれぞれ電気的に接続されており、この第１及び第２の接続端子を、前記上ケース及び下ケースで形成される外側面の周面方向の異なる位置から導出して形成したことを特徴とする請求項１乃至４の何れかに記載の複合操作スイッチ。
【発明の詳細な説明】
【技術分野】
【０００１】
本発明は、小型携帯用電子機器のメニュー選択、データ検索、モード設定などの入力操作部に使用される多方向スイッチとロータリースイッチとが一体化した複合操作スイッチに関する。
【背景技術】
【０００２】
従来の複合操作スイッチの構造としては、一枚のフレキシブルプリント基板上に多方向スイッチ用とロータリーエンコーダ用の固定接点部を形成し、ベース上に配置すると共に、このベースに、多方向スイッチを構成するドーム状可動接点、プッシャ、ハウジング、フレーム、キートップと、ロータリーエンコーダを構成する接点、操作リング、プレートとを配置して一体化した構成のものが知られている（例えば、特許文献１参照）。
【０００３】
以下、従来の複合操作スイッチの構造を図に基づいて説明する。
図８は従来の複合操作スイッチの分解斜視図、図９は従来の複合操作スイッチの要部断面図である。
【０００４】
図において、２１は多方向スイッチの意匠部であるトップフェイスを示し、２２はロータリエンコーダの意匠部であるトップフェイスを示す。なお、多方向スイッチはこの例では中央スイッチ付きの４方向スイッチとされている。
【０００５】
３１はロータリエンコーダの回転時にクリック感を出すプレート、３２はロータリエンコーダの操作リング、３３はロータリエンコーダの接点、３４は４方向スイッチのキートップ、３５は部品固定用のハウジング、３６はハウジング３５に固定されているフレーム、３７は４方向スイッチの中央スイッチのプッシャ、３８は可動接点固定用の接着シート、３９はドーム状中央可動接点、４０はドーム状周辺可動接点、４１はフレキシブルプリント配線板、４２はベースとなる。
【０００６】
ベース４２は円板状とされ、その板面には２つの穴４２１が形成され、さらに周縁にスリット状の穴４２２が形成されている。フレキシブルプリント配線板４１はベース４２上に搭載配置される円形部４１１と、その円形部４１１から導出されたケーブル部４１２とよりなり、円形部４１１の中央には中央固定接点４１３が形成され、その中央固定接点４１３を囲む円周上には４個の周辺固定接点４１４が９０゜間隔で形成されている。
【０００７】
中央固定接点４１３及び４個の周辺固定接点４１４は何れも同心状に形成された中心円形電極と環状電極とよりなる。なお、これら中央固定接点４１３及び周辺固定接点４１４から引き出されている引き出し線の詳細図示は省略している。円形部４１１にはさらに４個の周辺固定接点４１４を囲む円周上にエンコーダ用接点４１５ 〜４１７が配列形成されている。
【０００８】
ドーム状中央可動接点３９と４個のドーム状周辺可動接点４０は何れもクリック反転する反転接点を構成している。中央固定接点４１３とドーム状中央可動接点３９により中央スイッチが形成され、周辺固定接点４１４とドーム状周辺可動接点４０により４個の周辺スイッチが構成される。接着シート３８は下面が粘着面とされ、ドーム状中央可動接点３９及び４個のドーム状周辺可動接点４０をフレキシブルプリント配線板４１に形成されている中央固定接点４１３及び４個の周辺固定接点４１４の環状電極を覆うように位置決めして固定するものである。
【０００９】
ドーム状中央可動接点３９を押圧するプッシャ３７は金属板で形成され、板状基部３７１から十字を形成するように延長されたアーム部を有し、アーム部の先端が屈曲されて取り付け部３７３が形成されている。中心部にはプレス加工により下向きに突出した中央押圧突起３７４が形成されている。ハウジング３５は環状部３５１と、その環状部３５１から突出形成された４つの支持突部３５２とを有している。
【００１０】
フレーム３６は金属板で形成され、中央板部３６１と、中央板部３６１の周辺の各角部に突出形成された４本の脚部とからなる。中央板部３６１の中心部には下向きにプレス加工して球面状の支点部３６３が突出形成されている。フレーム３６の４本の脚部はハウジング３５の支持突部３５２に固定されている。キートップ３４は円板状で下面側には４つの突部が形成され、各突部の先端にはキートップ３４を厚さ方向に貫通する貫通スリット３４３が形成されており、また各突部の位置と対応して外周側の下面には周辺押圧突起３４４が突出形成されている。
【００１１】
接点３３は接触用の３本の足３３１〜３３３を具備するものとされる。なお、３３４は操作リング３２への取り付け用に使用される穴を示す。操作リング３２はキートップ３４を囲む環状とされ、その内周側の上面には凹凸が円周上に順次配列形成されて凹凸面３２１が形成されている。プレート３１は金属板よりなり、キートップ３４を囲む環状とされて、その外周部に凸部３１１が２箇所形成されている。
【００１２】
そして、キートップ３４と一体化されたプッシャ３７の中央押圧突起３７４はドーム状中央可動接点３９上に位置して接着シート３８と当接し、この中央押圧突起３７４の裏面側の凹んだ係合部３７５とフレーム３６の支点部３６３とが当接して支点部３６３に対して係合部３７５が回動可能に係合した状態となる。
【００１３】
一方、キートップ３４に形成されている各周辺押圧突起３４４は対応するドーム状周辺可動接点４０上に位置され、また図には示していないが、操作リング３２の下面に取り付けられた接点３３は各足３３１〜３３３が対応するエンコーダ用接点４１５〜４１７の位置する円周上に位置して、それらエンコーダ用接点４１５〜４１７と摺接するものとなる。
【００１４】
キートップ３４（トップフェイス２１）の一方の端を押下げすると、フレーム３６の支点部３６３を中心に回動し、周辺押圧突起３４４によりドーム状周辺可動接点４０が押圧反転され、周辺スイッチがオンとなる。一方、中央を押下すると、プッシャ３７がフレーム３６から離れて中央押圧突起３７４がドーム状中央可動接点３９を押圧反転するものとなる。また、ロータリーエンコーダは、操作リング３２（トップフェイス２２）を回転操作することで接点３３とエンコーダ用接点４１５〜４１７とが摺接し出力が得られるものとなる。
【００１５】
【特許文献１】特開２００３−３６７６７号公報
【発明の開示】
【発明が解決しようとする課題】
【００１６】
しかしながら、上述した従来の複合操作スイッチの構造においては、一枚のフレキシブルプリント基板上に多方向スイッチ用の中央固定接点及び４個の周辺固定接点と、この４個の周辺固定接点を囲む同一平面の円周上にロータリーエンコーダ用の固定接点を配置する構成になっているので、フレキシブルプリント基板が径方向に大きくなることから、スイッチの小型化ができないという問題があった。
【００１７】
したがって、本発明では上述した問題点を解決し、多方向スイッチ用の固定接点とロータリースイッチ用の固定接点とを一体的に備えると共にスイッチの小型化が可能な複合操作スイッチを提供することを目的とする。
【課題を解決するための手段】
【００１８】
上記課題を解決するために本発明では第１の解決手段として、多方向スイッチ部とロータリースイッチ部とが一体化されてなる複合操作スイッチであって、多方向スイッチ部を構成する第１の固定接点部とロータリースイッチ部を構成する第２の固定接点部を有するハウジングと、前記第１の固定接点部に対向して配設され、押圧されることにより前記第１の固定接点部と接離する複数の可動接点と、前記第２の固定接点部と摺接する摺動接点を有し、前記ハウジングに回転可能に保持された回転部材とを備え、前記ハウジングは、上下に対向して係合された上ケース及び下ケースとからなり、前記第１の固定接点部を前記下ケースの内底面に形成すると共に、前記第２の固定接点部を前記上ケースの天井面に形成し、前記第１の固定接点部と前記第２の固定接点部とを前記上ケースと下ケースの上下方向に対向して配置した構成とした。
【００１９】
また、第２の解決手段として、前記第１の固定接点部は、前記下ケースの内底面中央に配設されて前記可動接点が載置される接点パターン部と、この接点パターン部から周縁方向に延設された引出しパターン部とを有し、前記第２の固定接点部は、前記上ケースの天井面周縁部に配設された円環状のコモンパターンと、複数の円弧状の個別パターンとを有し、前記第１の固定接点部の引出しパターン部と前記第２の固定接点部のコモンパターン及び個別パターンとが、前記回転部材を挟んで上下方向に重なるように対向して配置した構成とした。
また、第３の解決手段として、前記回転部材は、円板状の回転板と、中央に中空部を有する円筒状の操作部とからなり、この操作部が前記上ケースの中央に設けられた開口部から突出して前記上ケースと下ケースとの間に回転可能に保持されており、前記回転板の上面側に前記摺動接点が保持され、この摺動接点と前記第２の固定接点部とが摺接すると共に、前記操作部の中空部に前記第１の固定接点部の接点パターン部が臨むように配置した構成とした。
【００２０】
また、第４の解決手段として、前記第１の固定接点部は、中央に設けられたセンタープッシュ用接点部とこのセンタープッシュ用接点部の周辺に設けられた複数の方向検出用接点部とからなり、それぞれの接点部のコモン接点を共通の引出しパターンで接続した構成とした。
また、第５の解決手段として、前記第１の固定接点部及び前記第２の固定接点部は、外部導出用の第１の接続端子及び第２の接続端子とそれぞれ電気的に接続されており、この第１及び第２の接続端子を、前記上ケース及び下ケースで形成される外側面の周面方向の異なる位置から導出して形成した構成とした。
【発明の効果】
【００２１】
上述したように、本発明の複合操作スイッチは、多方向スイッチ部とロータリースイッチ部とが一体化されてなる複合操作スイッチであって、多方向スイッチ部を構成する第１の固定接点部とロータリースイッチ部を構成する第２の固定接点部を有するハウジングと、第１の固定接点部に対向して配設され、押圧されることにより第１の固定接点部と接離する複数の可動接点と、第２の固定接点部と摺接する摺動接点を有し、ハウジングに回転可能に保持された回転部材とを備え、ハウジングは、上下に対向して係合された上ケース及び下ケースとからなり、第１の固定接点部を下ケースの内底面に形成すると共に、第２の固定接点部を上ケースの天井面に形成し、第１の固定接点部と第２の固定接点部とを上ケースと下ケースの上下方向に対向して配置したことから、多方向スイッチ部を構成する第１の固定接点部とロータリースイッチ部を構成する第２の固定接点部とを同じケースの同一平面上に形成するのに比べて、異なる平面上に対向して形成でき、ケースの径方向の大きさを小さくできるので、スイッチの小型化が可能となる。
【００２２】
また、第１の固定接点部は、下ケースの内底面中央に配設されて可動接点が載置される接点パターン部と、接点パターン部から周縁方向に延設された引出しパターン部とを有し、第２の固定接点部は、上ケースの天井面周縁部に配設された円環状のコモンパターンと、複数の円弧状の個別パターンとを有し、第１の固定接点部の引出しパターン部と第２の固定接点部のコモンパターン及び個別パターンとが、回転部材を挟んで上下方向に重なるように対向して配置したことから、第１の固定接点部の接点パターン部から引出される引出しパターン部を第２の固定接点部と接触することなく同じケースの同一平面上に形成でき、スルーホール等を有する多層基板を用いることなく、簡単に引出しパターンを形成できるので、構造が簡易となり、安価対応が可能となる。
また、回転部材は、円板状の回転板と、中央に中空部を有する円筒状の操作部とからなり、操作部が上ケースの中央に設けられた開口部から突出して上ケースと下ケースとの間に回転可能に保持されており、回転板の上面側に摺動接点が保持され、摺動接点と第２の固定接点部とが摺接すると共に、操作部の中空部に第１の固定接点部の接点パターン部が臨むように配置したことから、ロータリースイッチ部を構成する第２の固定接点部と摺接する摺動接点が保持された回転部材の操作部中央に中空部を設けて、この中空部内に多方向スイッチ部を構成する第１の固定接点部を配置するようにしたので、各々の接点部同士が接触することなくロータリースイッチ部の中央に容易に多方向スイッチ部を形成でき、スイッチの小型化が可能となる。
【００２３】
また、第１の固定接点部は、中央に設けられたセンタープッシュ用接点部とこのセンタープッシュ用接点部の周辺に設けられた複数の方向検出用接点部とからなり、それぞれの接点部のコモン接点を共通の引出しパターンで接続したことから、引出しパターンの数を少なくできるので、固定接点部の形成面積を小さくでき、スイッチの小型化が図れる。
また、第１の固定接点部及び第２の固定接点部は、外部導出用の第１の接続端子及び第２の接続端子とそれぞれ電気的に接続されており、第１及び第２の接続端子を、上ケース及び下ケースで形成される外側面の周面方向の異なる位置から導出して形成したことから、各々の外部導出用の接続端子が２段に重ならないで周面方向に１段で形成できるので、縦方向の薄型化が図れる。また、２段に重なる場合には各々の接続端子同士の半田付け部が重ならないように径方向にずらせて形成する必要があるが、これも不要になるので径方向の小型化も図れる。
【発明を実施するための最良の形態】
【００２４】
以下、本発明の複合操作スイッチの実施形態を図１乃至図７に示す。図１は本発明の複合操作スイッチの分解斜視図、図２は本発明の複合操作スイッチの要部断面図、図３は本発明の複合操作スイッチの異なる方向から見た要部断面図、図４は本発明の複合操作スイッチの揺動操作用つまみ及び押圧操作用つまみを除いた状態を示す斜視図、図５は図４の要部断面図、図６は多方向スイッチの接点部とロータリースイッチの接点部との配置状態を透視して示した要部平面図、図７は多方向スイッチの接点パターンと引出しパターンを透視して示した要部平面図である。
【００２５】
図において、下ケース１は、合成樹脂等の絶縁材で略円形状に形成され、その周縁には連続した壁部１ａが設けられ内部が広域の収納部１ｂとなっている。この収納部１ｂの中央には上方に突出した略環状の円筒部１ｃが設けられており、この円筒部１ｃの外周の同心円上には複数の弾性を有する突出片からなる第１の係合部１ｄ、及び第２の係合部１ｅが設けられている。この第１の係合部１ｄは、十字方向の位置に等間隔に４個形成されており、この内側に対向して一対の第２の係合部１ｅが形成されている。
【００２６】
また、前記第１及び第２の係合部１ｄ、１ｅの先端側には、互いに対向する方向に突出するフック部１ｆ、１ｇが設けられている。この第１及び第２の係合部１ｄ、１ｅに後述する揺動操作用つまみ１２及び押圧操作用つまみ１３が係合されて、フック部１ｆ、１ｇで所定の位置に位置決めされて取り付けられるものとなっている。この時、前記円筒部１ｃに押圧操作用つまみ１３が昇降自在に摺動ガイドされるものとなっている。
【００２７】
また、前記第１の係合部１ｄの外周には、前記円筒部１ｃよりも低い円環状の突条部１ｈが設けられている。この突条部１ｈに後述する回転部材９の中空部９ｃの下面側の内周縁部が係合されて、回転部材９が回転可能に前記収納部１ｂに収容されるものとなる。また、前記突条部１ｈで囲まれた内側には、導電性の金属板からなる第１の固定接点部２が収納部１ｂの内底面から表出して配設されている。この第１の固定接点部２は、前記円筒部１ｃ内に形成されたセンタープッシュ用接点部２ａと、この外側で前記第１及び第２の係合部１ｄ、１ｅの間に形成された複数（本実施例では４個）の方向検出用接点部２ｂとを有している。
【００２８】
また、図７に示すように、前記第１の固定接点部２は、前記センタープッシュ用接点部２ａ及び方向検出用接点部２ｂとからなる接点パターン部と、この接点パターン部に一端側が接続され、インサート成形などの方法でケース１の内底部に一体的に埋設されると共に、前記収納部１ｂの周縁方向に延設された引出しパターン部２ｃとを有しており、この引出しパターン部２ｃの他端側が、前記下ケース１の外側面から外部へ導出された第１の接続端子３と電気的に接続されている。また、前記センタープッシュ用接点部２ａ及び方向検出用接点部２ｂのコモン接点は、共通の前記引出しパターン２ｃでケース１内で接続されており、それぞれの接点部のコモン接点が電気的に接続されている。
【００２９】
このように、前記第１の固定接点部２は、中央に設けられた前記センタープッシュ用接点部２ａとこのセンタープッシュ用接点部２ａの周辺に設けられた複数の方向検出用接点部２ｂとからなり、それぞれの接点部のコモン接点を共通の前記引出しパターン２ｃで接続したことから、前記引出しパターン２ｃの数を少なくできるので、前記固定接点部２の形成面積を小さくでき、スイッチの小型化が図れるものとなっている。
【００３０】
また、前記収納部１ｂの一端側には、外方へ突出したばね収容部１ｉが設けられており、このばね収容部１ｉに金属板ばねからなるクリックばね１５が係合されている。このクリックばね１５と後述する回転部材９の回転板９ａの外周面に設けられたクリックカム９ｄが摺動して回転時のクリック感触が得られるものとなっている。また、下ケース１の外側面には、複数の係止突部１ｊが設けられており、後述するカバー１１の係止片１１ｂと係止されるものとなっている。
【００３１】
可動接点４は、導電性の薄板金属板からなり、反転可能なドーム状の膨出部を有している。この可動接点４は、前記収納部１ｂの内底面に配設された前記第１の固定接点部２の上面に対向して配置され、接点パターン部にその外周縁部が接続されると共に、各コモン接点とドーム状の膨出部の頂部下面とが対峙した状態で載置されている。また、前記可動接点４の上面側には、フィルム状の樹脂シートからなる粘着シート５が貼着されており、それぞれの可動接点４を第１の固定接点２上に保持している。
【００３２】
上ケース６は、合成樹脂等の絶縁材で中央に大径の開口部６ａを有する略円環状に形成されている。この上ケース６の下面側（天井面）の周縁部には、同じくインサート成形などの方法で一体的に埋設されて形成された、導電性の金属板からなる第２の固定接点部７が上ケース６の下面側に表出して配設されている。この第２の固定接点部７は、図６に示すように、前記開口部６ａの周縁部に配設された円環状のコモンパターン７ａと、このコモンパターン７ａの外周に沿って配設された複数の円弧状の個別パターン７ｂとを有している。
【００３３】
また、前記コモンパターン７ａ及び個別パターン７ｂには、それぞれ引出しパターン部７ｃが延設されており、この引出しパターン部７ｃの他端側が、前記上ケース６の外側面から外部へ導出された第２の接続端子８と電気的に接続されている。また、上ケース６が前記下ケース１に係合された際には、第２の接続端子８は、前記第１の接続端子３の導出位置とは、上ケース６及び下ケース１で形成される外側面の周面方向の異なる位置から導出して形成されており、その先端側が下ケース１の外側面に沿って下面側に折り曲げられて半田付け部が形成されている。
【００３４】
このように、前記第１及び第２の接続端子３、８を、前記上ケース６及び下ケース１で形成される外側面の周面方向の異なる位置から導出して形成したことから、各々の外部導出用の第１及び第２の接続端子３、８が、２段に重ならないで周面方向に１段で形成できるので、縦方向の薄型化が図れるものとなっている。また、２段に重なる場合には各々の接続端子同士の半田付け部が重ならないように径方向にずらせて形成する必要があるが、上記実施例の構成ではこれも不要になるので径方向の小型化も図れるものとなっている。
【００３５】
尚、上ケース６と前記下ケース１とでスイッチのハウジングが構成されており、上ケース６と下ケース１とが一体的に係合された際には、第２の固定接点部７と第１の固定接点部２とは、上ケース６と下ケース１の上下方向に対向して配置されるものとなっている。また、この時、前記第１の固定接点部２の引出しパターン部２ｃと、前記第２の固定接点部７のコモンパター７ａ及び個別パターン７ｂとが、後述する回転部材９を挟んで上下方向に重なるように対向して配置されるものとなっている。
【００３６】
このように、前記第１の固定接点部２の引出しパターン部２ｃと、前記第２の固定接点部７のコモンパターン７ａ及び個別パターン７ｂとが、回転部材９を挟んで上下方向に重なるように対向して配置することにより、前記第１の固定接点部２の接点パターン部２ａ、２ｂから引出される引出しパターン部２ｃを、前記第２の固定接点部７と接触することなく同じ前記下ケース１の同一平面上に形成でき、スルーホール等を有する多層基板を用いることなく、簡単に前記引出しパターン２ｃを形成できるので、構造が簡易となり、安価対応が可能となっている。
【００３７】
回転部材９は、合成樹脂等の絶縁材で形成されており、円板状の回転板９ａと、この回転板９ａの中央に大径の中空部９ｃを有する円筒状の操作部９ｂとを有している。この操作部９ｂが前記上ケース６の中央に設けられた前記開口部６ａから突出して前記上ケース６と下ケース１との間に回転可能に保持されるものとなっている。
【００３８】
また、回転板９ａの外周面には、複数の凹溝状のクリックカム９ｄが設けられており、このクリックカム９ｄと前記収納部１ｂに係合された前記クリックばね１５が摺動して回転板９が回転する際のクリック感触が得られるものとなっている。また、操作部９ｂの外周部には、複数の凹部９ｅ及び突片部９ｆが設けられており、この凹部９ｅ及び突片部９ｆに後述する回転操作用つまみ１４が位置決めされて取り付けられるものとなっている。
【００３９】
また、前記回転板９ａの上面側には、導電性の薄板金属板からなる円環状の摺動接点１０が保持されている。この摺動接点１０には、略対向する位置に弾性を有する一対の接点部１０ａ及び１０ｂが形成されており、この接点部１０ａ及び１０ｂが、前記上ケース６の下面側（天井面）に配設された第２の固定接点７のコモンパターン７ａ及び個別パターン７ｂと摺接するものとなっている。
【００４０】
また、前記回転部材９が前記上ケース６と下ケース１との間に回転可能に保持された際には、前記操作部９ｂの中空部９ｃに、前記下ケース１の収納部１ｂに配設された前記第１の固定接点部２の接点パターン部が臨むようになっており、前記中空部９ｃを介して、この中空部９ｃ内に配設された、後述する揺動操作用つまみ１２及び押圧操作用つまみ１３の操作に伴って、センタープッシュ用接点部２ａ及び方向検出用接点部２ｂに対向して配設された前記可動接点４の押圧操作が可能となっている。
【００４１】
このように、ロータリースイッチ部を構成する前記第２の固定接点部７と摺接する前記摺動接点１０が保持された前記回転部材９の操作部９ｂ中央に中空部９ｃを設けて、この中空部９ｃ内に多方向スイッチ部を構成する前記第１の固定接点部２の接点パターン部を配置するようにしたので、各々の接点部同士が接触することなくロータリースイッチ部の中央に容易に多方向スイッチ部を形成でき、スイッチの小型化が可能となっている。
【００４２】
カバー１１は、金属板を打ち抜くことにより、中央に大径の開口部１１ａを有する略円環状に形成されており、このカバー１１の外周部には下方へ折り曲げられた複数の係止片１１ｂが設けられている。このカバー１１は、前記上ケース６の上面側に嵌着され、前記係止片１１ｂが前記下ケース１の外側面に設けられた係止突部１ｊに係止されることにより前記上ケース６と下ケース１とを一体的に係合するものとなっている。
【００４３】
揺動操作用つまみ１２は、合成樹脂等の絶縁材からなり、円板状の操作板１２ａと、この操作板１２ａの下面側に延設され中央に中空部１２ｃを有する円筒状の駆動部１２ｂを有している。また、駆動部１２ｂの下面には、十字方向の位置に等間隔に４個の突部１２ｄが設けられており、これらの突部１２ｄが、前記第１の固定接点部２の方向検出用接点部２ｂ上に載置された、可動接点４の膨出部の頂部上面とそれぞれ当接した状態で、揺動操作用つまみ１２が前記下ケース１の収納部１ｂの内底面に設けられた第１の係合部１ｄのフック部１ｆに係合して位置決めされている。この時、前記第１の係合部１ｄは弾性を有しているので、揺動操作用つまみ１２の取り付けを容易に行なえると共に、所定位置へ確実に保持することができるものとなっている。
【００４４】
この時、前記揺動操作用つまみ１２は、前記可動接点４の有する弾性力により、上方へ付勢されると共に、前記フック部１ｆにより適宜位置へ保持されるものとなっている。このため、揺動操作用つまみ１２を付勢する付勢部材を別途設ける必要がないので、構成が簡易となり、組立を容易に行なえるものとなっている。
また、前記駆動部１２ｂの周面には、上下方向へ沿って凹状のガイド溝部１２ｅが形成されており、このガイド溝部１２ｅに前記第１の係合部１ｄのフック部１ｆを係合させることにより、揺動操作用つまみ１２の周方向への回転を防止でき、予め設定された所定の方向への揺動操作を確実に行なえるようになっている。
【００４５】
押圧操作用つまみ１３は、同じく合成樹脂等の絶縁材からなり、円柱状の操作部１３ａと、この操作部１３ａの下面側に突出した駆動部１３ｂと、駆動部１３ｂの回りに環状に設けられた空洞部１３ｃとを有している。この押圧操作用つまみ１３は、前記揺動操作用つまみ１２の中空部１２ｃ内に配置され、前記駆動部１３ｂが、前記第１の固定接点部２のセンタープッシュ用接点部２ａ上に載置された、可動接点４の膨出部の頂部上面と当接した状態で、押圧操作用つまみ１３が前記下ケース１の収納部１ｂの内底面に設けられた第２の係合部１ｅのフック部１ｇに係合して位置決めされている。
【００４６】
この時、前記空洞部１３ｃの内周面が、前記収納部１ｂに設けられた円筒部１ｃの外周面に係合されて昇降自在に摺動ガイドされるものとなっている。そして、前記第２の係合部１ｅは同じく弾性を有しているので、押圧操作用つまみ１３の取り付けを容易に行なえると共に、所定位置へ確実に保持することができるものとなっている。
【００４７】
このように、前記下ケース１の収納部１ｂに、前記揺動操作用つまみ１２が係合される前記第１の係合部１ｄと、前記押圧操作用つまみ１３が係合される前記第２の係合部１ｅとを設けて、前記揺動操作用つまみ１２と押圧操作用つまみ１３とが、前記第１及び第２の係合部１ｄ、１ｅにより各々離間した状態で、独立して操作可能なように取り付けたことから、多方向操作用の揺動操作用つまみ１２と押圧操作用つまみ１３とを、それぞれ独立して操作することができるので、互いが干渉することなく、操作時の誤操作を防止することができるものとなっている。
【００４８】
回転操作用つまみ１４は、同じく合成樹脂等の絶縁材からなり、中央に大径の開口部１４ａを有する略円環状に形成されている。この開口部１４ａの内周面には、前記回転部材９の操作部９ｂの外周部に形成された、複数の凹部９ｅ及び突片部９ｆに係合して位置決めされる凸部１４ｂ及び凹部１４ｃが形成されている。この回転操作用つまみ１４は、前記開口部１４ａ内に前記揺動操作用つまみ１２及び押圧操作用つまみ１３が収容された状態で、前記回転部材９の操作部９ｂの先端側に回転可能に取付けられている。
【００４９】
次に、上記構成の複合操作スイッチの動作を説明する。
まず、多方向スイッチ部の動作を説明すると、図２に示す初期の状態においては、揺動操作用つまみ１２及び押圧操作用つまみ１３は中立位置に位置しており、多方向スイッチ部を構成する第１の固定接点２は、センタープッシュ用接点部２ａ及び方向検出用接点部２ｂと各可動接点４とは離間されてオフ状態となっている。
【００５０】
この状態から、揺動操作用つまみ１２が、例えば、図示右側が押し下げられると、右側の駆動部１２ｂの突部１２ｄが押し下げられ、下方に配設された可動接点４の膨出部頂部を押圧することで可動接点４が反転する。この反転によって、右側の方向検出用接点部２ｂが可動接点４と接触してオン状態となる。
【００５１】
この時、揺動操作用つまみ１２は、図示左側に形成された第１の係合部１ｄのフック部１ｆを支点として揺動（回動）することになるが、中空部１２ｃに配置された押圧操作用つまみ１３は第２の係合部１ｅによって、それぞれ離間した状態で係合されていることから、互いに干渉することがなく、センタープッシュ用接点部２ａはオフ状態を維持している。
【００５２】
この状態から、揺動操作用つまみ１２への押圧力が解除されると、揺動操作用つまみ１２は可動接点４が反転復帰する弾性力によって初期状態へと復帰するものとなり、これに伴って、可動接点４が右側の方向検出用接点部２ｂから離間してオフ状態となる。尚、他の方向（例えば左側）への押圧操作の場合においても同様の動作となるためその説明は省略する。
【００５３】
次に、押圧操作用つまみ１３が、図示下方へ押し下げられると、操作部１３ａが押し下げられ、下方に突出した駆動部１３ｂが、下方に配設された可動接点４の膨出部頂部を押圧することで可動接点４が反転する。この反転によって、センタープッシュ用接点部２ａが可動接点４と接触してオン状態となる。
この時、同じく、揺動操作用つまみ１２は第１の係合部１ｄによって離間した状態で係合されているので、互いに干渉することがなく、方向検出用用接点部２ｂはオフ状態を維持している。
【００５４】
この状態から、押圧操作用つまみ１３への押圧力が解除されると、押圧操作用つまみ１３は可動接点４が反転復帰する弾性力によって初期状態へと復帰するものとなり、これに伴って、可動接点４がセンタープッシュ用接点部２ａから離間してオフ状態となる
【００５５】
次に、ロータリースイッチ部の動作を説明すると、図２及び図６に示す初期の状態においては、回転操作用つまみ１４は、回転部材９のクリックカム９ｄとクリックばね１５との係合により、ある一定の位置に保持されている。この状態では、例えば、回転部材９の回転板９ａの上面側に保持された摺動接点１０の一方の接点部１０ａは、第２の固定接点部７のコモンパターン７ａと接触しており、他方の接点部１０ｂは、第２の固定接点部７の複数の個別パターン７ｂの内の図６に示す上方の一つと接触して特定の回路がオン状態となっている。
【００５６】
この状態から、例えば、回転操作用つまみ１４が図示右方向（時計方向）に回転操作されると、回転部材９も右方向へ回転し、クリックばね１５に保持されていたクリックカム９ｄが外れて左隣りのクリックカム９ｄがクリックばね１５に保持されるものとなり、この時のクリックカム９ｄとクリックばね１５との係脱によりクリック感触が得られるものとなる。
【００５７】
そして、回転部材９の回転に伴って、摺動接点１０の一方の接点部１０ａは、第２の固定接点部７のコモンパターン７ａ上を摺動して常時接触した状態で、他方の接点部１０ｂは、接触していた図６に示す上方の第２の固定接点部７の個別パターン７ｂから離間して一つ隣りの個別パターン７ｂと接触して回路が切り換わるものとなる。
【００５８】
この回転操作用つまみ１４の回転操作に伴って、順次、摺動接点１０の接点部１０ｂと個別パターン７ｂとが切り換わることにより、ロータリースイッチの回路が切り換わるものとなっている。尚、本実施例においては、一回転で９ポジションの回路切換えが行なえるようになっている。
【００５９】
上記した、本発明の実施例によれば、多方向スイッチ部とロータリースイッチ部を備えるハウジングを、上下に対向して係合された前記上ケース６及び前記下ケース１とから形成し、前記第１の固定接点部２を前記下ケース１の内底面に形成すると共に、前記第２の固定接点部７を前記上ケース６の天井面に形成して、前記第１の固定接点部２と前記第２の固定接点部７とを前記上ケース６と前記下ケース１の上下方向に対向して配置したことから、多方向スイッチ部を構成する前記第１の固定接点部２とロータリースイッチ部を構成する前記第２の固定接点部７とを同じケースの同一平面上に形成するのに比べて、異なる平面上に対向して形成でき、ケースの径方向の大きさを小さくできるので、スイッチの小型化が可能となっている。
【図面の簡単な説明】
【００６０】
【図１】本発明の複合操作スイッチを示す分解斜視図である。
【図２】本発明の複合操作スイッチを示す要部断面図である。
【図３】本発明の複合操作スイッチの異なる方向から見た要部断面図である。
【図４】本発明の複合操作スイッチの揺動操作用つまみ及び押圧操作用つまみを除いた状態を示す斜視図である。
【図５】本発明の図４の要部断面図である。
【図６】本発明の多方向スイッチの接点部とロータリースイッチの接点部との配置状態を透視して示した要部平面図である。
【図７】本発明の多方向スイッチの接点パターンと引出しパターンを透視して示した要部平面図である。
【図８】従来の複合操作スイッチを示す分解斜視図である。
【図９】従来の複合操作スイッチを示す要部断面図である。
【符号の説明】
【００６１】
１：下ケース（ハウジング）
１ａ：壁部
１ｂ：収納部
１ｃ：円筒部
１ｄ：第１の係合部
１ｅ：第２の係合部
１ｆ：フック部
１ｇ：フック部
１ｈ：突条部
１ｉ：ばね収容部
１ｊ：係止突部
２：第１の固定接点部
２ａ：センタープッシュ用接点部（接点パターン部）
２ｂ：方向検出用接点部（接点パターン部）
２ｃ：引出しパターン部
３：第１の接続端子
４：可動接点
５：粘着シート
６：上ケース（ハウジング）
６ａ：開口部
７：第２の固定接点部
７ａ：コモンパターン
７ｂ：個別パターン
７ｃ：引出しパターン部
８：第２の接続端子
９：回転部材
９ａ：回転板
９ｂ：操作部
９ｃ：中空部
９ｄ：クリックカム
９ｅ：凹部
９ｆ：突片部
１０：摺動接点
１０ａ：接点部
１０ｂ：接点部
１１：カバー
１１ａ：開口部
１１ｂ：係止片
１２：揺動操作つまみ
１２ａ：操作板
１２ｂ：駆動部
１２ｃ：中空部
１２ｄ：突部
１２ｅ：ガイド溝部
１３：押圧操作用つまみ
１３ａ：操作部
１３ｂ：駆動部
１３ｃ：空洞部
１４：回転操作用つまみ
１４ａ：開口部
１４ｂ：凸部
１４ｃ：凹部
１５：クリックばね
【図１】
2005302347.tif 000003
【図２】
2005302347.tif 000004
【図３】
2005302347.tif 000005
【図４】
2005302347.tif 000006
【図５】
2005302347.tif 000007
【図６】
2005302347.tif 000008
【図７】
2005302347.tif 000009
【図８】
2005302347.tif 000010
【図９】
2005302347.tif 000011